(57)【要約】 【課題】  端子金具２０の抜けを防止する。【解決手段】  相手側コネクタが嵌合されるフード部１１を備えたコネクタハウジング１２と、フード部１１の奥壁部１３に貫通して形成される複数の挿通孔１５と、前記コネクタハウジング１２の背面側から挿通孔１５に圧入されてなる複数の端子金具２０とを備えたコネクタ１０であって、端子金具２０には、挿通孔１５に挿通される挿通部２１が設けられるとともに、挿通部２１は挿通孔１５より大きめに形成され、挿通孔１５周りの肉を外方へ押しのけて圧入される圧入部２３と、この圧入部２３と連続し、圧入部２３の挿入方向後方に向けて下り勾配をなす一対のテーパ面２４Ａを有し、圧入部２３の通過後にこの圧入部２３が押しのけた肉を復帰させて、その外周側に収容させる収容部２４とを含んでなり、さらに、収容部２４のテーパ面２４Ａの後端同士の間の幅寸法が、挿通孔１５の孔幅と等しいかそれより小さく設定されている。【選択図】  図５
2005203271.tif 000002
【特許請求の範囲】
【請求項１】
相手側コネクタが嵌合されるフード部を備えたコネクタハウジングと、前記フード部の奥壁部に貫通して形成される複数の挿通孔と、前記コネクタハウジングの背面側から前記挿通孔に圧入されてなる複数の端子金具とを備えたコネクタであって、
前記端子金具には、前記挿通孔に挿通される挿通部が設けられるとともに、前記挿通部は前記挿通孔より大きめに形成され、挿通孔周りの肉を外方へ押しのけて圧入される圧入部と、この圧入部と連続し、前記圧入部の挿入方向後方に向けて下り勾配をなすテーパ面を有し、前記圧入部の通過後にこの圧入部が押しのけた前記肉を復帰させて、その外周側に収容させる収容部とを含んでなり、さらに、前記収容部の後端における前記端子金具の幅寸法が、前記挿通孔の孔幅と等しいかそれより小さく設定されていることを特徴とするコネクタ。
【請求項２】
前記収容部のテーパ面は、前記挿通孔の入り口まで延設されていることを特徴とする請求項１記載のコネクタ。
【請求項３】
相手側コネクタが嵌合されるフード部を備えたコネクタハウジングと、前記フード部の奥壁部に貫通して形成される複数の挿通孔と、前記コネクタハウジングの背面側から前記挿通孔に圧入されてなる複数の端子金具とを備えたコネクタであって、
前記端子金具には、前記挿通孔に挿通される挿通部が設けられるとともに、前記挿通部は前記挿通孔より大きめに形成され、挿通孔周りの肉を外方へ押しのけて圧入される圧入部と、この圧入部と連続し、圧入部の挿入方向後方に向けて下り勾配をなす一対のテーパ面を有し、前記圧入部の通過後にこの圧入部が押しのけた前記肉を復帰させて、その外周側に収容させる収容部とを含んでなり、前記挿通孔における前記端子金具の入り口部分には、この入り口部分を拡張させる段差面が形成される一方、前記端子金具には、この端子金具が前記挿通孔に対し、正規挿通深さまで挿通されたときに前記段差面に突き当てられて、前記端子金具の挿入位置を規制する張り出し部が形成され、さらに、前記張り出し部には、前記段差面に食い込んで、前記収容部周りに収容された肉を前記収容部側へ寄せる食い込み突部が形成されていることを特徴とするコネクタ。
【発明の詳細な説明】
【技術分野】
【０００１】
本発明は、コネクタに関する。
【背景技術】
【０００２】
従来、例えば、プリント配線基板に取り付けて用いられるコネクタとしては図８に示すように、相手側コネクタが嵌合されるフード部を備えた合成樹脂製のコネクタハウジング１に、端子金具２が前後に貫通して配列されており、その一端は前方（相手側コネクタハウジングとの嵌合面側）に突き出ており、他端はコネクタハウジング１の背面側（基板側）に突き出た構造となっている（下記、特許文献１参照）。
【０００３】
ここで、一般にこの種のコネクタは、フード部の内外を前後に貫通する挿通孔に、挿通孔よりも大きい圧入部を有する複数の端子金具２を前方、つまり相手側コネクタハウジングとの嵌合面側に圧入することにより製造されている。
【０００４】
ところで近年、製造工程の簡略化や自動化設備の共用等の要請などから、これまでとは逆に、端子金具２をコネクタハウジング１の背面側（基板側）から前方（相手側コネクタハウジングとの嵌合面側）に向かって端子金具を圧入する方法が採用されるようになってきた。
【特許文献１】実開昭６１−６０４８６号公報
【発明の開示】
【発明が解決しようとする課題】
【０００５】
しかしながら、コネクタハウジングの背面側から端子金具を圧入した場合には、端子金具の抜き方向に向かう圧力に対して、雌雄コネクタハウジングの嵌合時の端子保持力が十分ではなかった。ここで、端子保持力を強くするために、端子金具の圧入部をさらに大きくすることが考えられるが、この場合には、コネクタハウジングの圧縮ストレスが大きくなり、コネクタハウジングにクラックが生じるおそれがある。
【０００６】
本発明は上記のような事情に基づいて完成されたものであって、端子金具の抜けを防止することを目的とする。
【課題を解決するための手段】
【０００７】
上記の目的を達成するための手段として、請求項１の発明は、相手側コネクタが嵌合されるフード部を備えたコネクタハウジングと、前記フード部の奥壁部に貫通して形成される複数の挿通孔と、前記コネクタハウジングの背面側から前記挿通孔に圧入されてなる複数の端子金具とを備えたコネクタであって、前記端子金具には、前記挿通孔に挿通される挿通部が設けられるとともに、前記挿通部は前記挿通孔より大きめに形成され、挿通孔周りの肉を外方へ押しのけて圧入される圧入部と、この圧入部と連続し、前記圧入部の挿入方向後方に向けて下り勾配をなすテーパ面を有し、前記圧入部の通過後にこの圧入部が押しのけた前記肉を復帰させて、その外周側に収容させる収容部とを含んでなり、さらに、前記収容部の後端における前記端子金具の幅寸法が、前記挿通孔の孔幅と等しいかそれより小さく設定されている構成としたところに特徴を有する。
【０００８】
請求項２の発明は、請求項１に記載のものにおいて、前記収容部のテーパ面は、前記挿通孔の入り口まで延設されているところに特徴を有する。
【０００９】
請求項３の発明は、相手側コネクタが嵌合されるフード部を備えたコネクタハウジングと、前記フード部の奥壁部に貫通して形成される複数の挿通孔と、前記コネクタハウジングの背面側から前記挿通孔に圧入されてなる複数の端子金具とを備えたコネクタであって、前記端子金具には、前記挿通孔に挿通される挿通部が設けられるとともに、前記挿通部は前記挿通孔より大きめに形成され、挿通孔周りの肉を外方へ押しのけて圧入される圧入部と、この圧入部と連続し、圧入部の挿入方向後方に向けて下り勾配をなす一対のテーパ面を有し、前記圧入部の通過後にこの圧入部が押しのけた前記肉を復帰させて、その外周側に収容させる収容部とを含んでなり、前記挿通孔における前記端子金具の入り口部分には、この入り口部分を拡張させる段差面が形成される一方、前記端子金具には、この端子金具が前記挿通孔に対し、正規挿通深さまで挿通されたときに前記段差面に突き当てられて、前記端子金具の挿入位置を規制する張り出し部が形成され、さらに、前記張り出し部には、前記段差面に食い込んで、前記収容部周りに収容された肉を前記収容部側へ寄せる食い込み突部が形成されているところに特徴を有する。
【発明の効果】
【００１０】
＜請求項１の発明＞
本構成によれば、圧入部の通過後にこの圧入部が押しのけた肉を復帰させて、収容部の外周側に収容させるから、端子金具に抜け方向へ圧力がかかったとしても、復帰した肉が収容部に引っかかり、端子金具の抜けが規制される。
【００１１】
＜請求項２の発明＞
例えば、収容部のテーパ面が挿通孔の入り口まで延設されず、挿通孔の途中までしか収容部のテーパ面が設けられていない場合には、収容部のテーパ面の勾配が急になり、端子金具に抜け方向へ圧力がかかった場合に、復帰した肉との間に生じる隙間が大きくなり、収容部に肉を十分に引っかけることができない。しかしながら、本構成によれば、収容部のテーパ面は、挿通孔の入り口まで延設されているから、収容部のテーパ面が緩やかになり、端子金具に抜け方向へ圧力がかかった場合に、収容部に肉を十分に引っかけることができ、端子金具の抜けが規制される。
【００１２】
＜請求項３の発明＞
本構成によれば、圧入部の通過後にこの圧入部が押しのけた肉を復帰させて、収容部の外周側に収容させるから、端子金具に抜け方向へ圧力がかかったとしても、復帰した肉が収容部に引っかかり、端子金具の抜けが防止される。また、張り出し部には、段差面に食い込んで、収容部周りに収容された肉を収容部側へ寄せる食い込み突部が形成されているから、端子金具に抜け方向へ圧力がかかった場合に、引き寄せた肉がより確実に収容部に引っかかり、端子金具の後方への抜けが規制される。
【発明を実施するための最良の形態】
【００１３】
本発明の実施形態を図１ないし図７によって説明する。本実施形態では、プリント配線基板（図示せず）に取り付けられるコネクタ１０を例示する。なお、以下では、前後方向については、図１における左方を前方とし、上下方向については、図１を基準にして説明する。
【００１４】
コネクタ１０は、図１，２に示すように、相手側コネクタ（図示せず）が嵌合されるフード部１１を備えた合成樹脂製のコネクタハウジング（以下、ハウジング１２という）を有している。なお、図２には、端子金具２０を有さないハウジング１２のみが示されている。
フード部１１の奥壁部１３には、フード部１１の内外を前後に貫通する複数の挿通孔１５が上下段に整列して形成され、この各挿通孔１５内に後述する端子金具２０が背面側から圧入されるようになっている。
【００１５】
挿通孔１５は、断面がほぼ一定の大きさの矩形の孔（四面が中心軸と平行なストレート面となっている）からなり、挿通孔１５における端子金具２０の入り口側には、挿通孔１５より大きめに開口する矩形の導入孔１８が形成される一方、挿通孔１５における端子金具２０の出口側には、挿通孔１５より大きめに開口する矩形の凹部１６が形成されている。なお、挿通孔１５の前端部には前方に向けてテーパ状にやや縮径された縮径部１５Ａが形成されている。
【００１６】
凹部１６は、端子金具２０の圧入の際、端子金具２０との摩擦により挿通孔１５内から削りくずが生じた場合に、削りくずを凹部１６内に納めて外部へのこぼれ出しを規制するようにしている。
導入孔１８の４つの孔面のうち上面を除く３面は、後方へ拡開する傾斜面が形成されている。但し、孔面のうち、上面に位置するもののみは水平に、かつ、後方に延出されて端子金具２０の保護壁１２Ａに連続している。
【００１７】
挿通孔１５の後端（本発明の「挿通孔の入り口」に相当する）から導入孔１８の孔面につながる面はほぼ鉛直に切り立つ段差面１７とされ、端子金具２０の圧入の際には、この段差面１７に後述する端子金具２０の張り出し部２２が突き当てられるようになっている。
【００１８】
奥壁部１３において、上段の挿通孔１５と下段の挿通孔１５との間には、コネクタ１０が相手側コネクタ（図示せず）と嵌合する際に、ガイドの働きをするこじり防止タブ部１９が、隣接する一対の挿通孔１５に対応して１つずつ奥壁部１３から前方に向けて突設され、双方のハウジングが適正な位置で嵌合するようになっている。
【００１９】
一方、端子金具２０は、図３から図７に示すように、金属性の棒状材からなり、前端側は相手側コネクタの端子金具（図示しない）と接続する端子接続部２０Ｂとなり、後端側は基板側に接続される基板接続部２０Ｃとなっている。なお、基板接続部２０Ｃは、端子金具２０全体がコネクタハウジングに装着された状態で、図１に示すようにほぼ９０°下向きに折り曲げられる。
【００２０】
端子金具２０の中央部は、挿通孔１５に挿通される挿通部２１と、導入孔１８に収容される張り出し部２２とからなっている。
挿通部２１は、ハウジング１２の挿通孔１５の長さよりもやや短くされ、この挿通部２１の略前半部分が、一対のテーパ面２３Ａが後方に向けて幅方向へ拡幅（上り勾配）となるように形成された圧入部２３とされるとともに、挿通部２１の略後半部分が圧入部２３と連続し、後方（挿入方向後方）に向けて一対のテーパ面２４Ａが幅方向に緩やかに縮幅（下り勾配）して形成された収容部２４とされている。
【００２１】
より詳しくは、図７に示すように、ハウジング１２に端子金具２０が圧入された際には、端子金具２０の前端部から凹部１６のわずかに後方の位置２５Ａまでは断面が一定の大きさの矩形の部分２０Ａが続き、そこから幅方向の両端部がテーパ状に広がっていき（テーパ面２３Ａ）、挿通部２１の略中央付近２５Ｂ（圧入部２３の後部）で挿通孔１５の幅（端子金具２０の未挿入のときにおいて、図７における上下方向の幅）よりもやや大きい幅になって頂点を迎えた後に、今度はテーパ状にわずかに幅が小さくなっていき（テーパ面２４Ａ）、段差面１７の近傍２５Ｃ（張り出し部２２の前端部）に達した（本発明の「挿通孔の入り口まで延設」に相当する）時点で挿通部２１（収容部２４）の幅（本発明の「収容部の後端における前記端子金具の幅寸法」に相当する）は、挿通孔１５の孔幅よりやや小さくなるように設定されている。なお、テーパ面２４Ａの勾配は、テーパ面２３Ａの勾配よりも緩やかとなっている。
【００２２】
そして、端子金具２０の圧入の際には、圧入部２３のうち挿通孔１５の幅よりも拡径の部分が挿通孔１５の肉を外方へ押しのけるとともに、押しのけた肉が収容部２４に向けて復帰してこの収容部２４の外周側に収容されるようになっている。
【００２３】
張り出し部２２は、挿通部２１（収容部２４）の後端と連続して設けられ、その前端部は挿通部２１（収容部２４）の後端から弧状部分を介して前方に向かって突出させることにより、食い込み突部２６が形成されている。そして、端子金具２０が正規位置に圧入（正規挿通深さまで挿通）された際には、張り出し部２２がハウジング１２の段差面１７に突き当てられて端子金具２０の挿入位置が規制されるとともに、この突き当てにより張り出し部２２の前端部の食い込み突部２６が段差面１７に食い込み、収容部２４の外周側の肉（収容部２４周りに収容された肉）を収容部２４側に引き寄せるようになっている。なお、端子金具２０が正規位置に圧入された際には、張り出し部２２は導入孔１８内に収容されるとともに、張り出し部２２の後端面２２Ｂは奥壁部１３の後端面とほぼ面一となり、この張り出し部２２より後方には再び断面が一定の大きさの矩形の部分２０Ａが基板接続部２０Ｃ側に続くようになっている。
【００２４】
本実施形態のコネクタ１０は、以下のようにして製造する。
図５の矢線で示すように、ハウジング１２の背面側から、フード部１１の奥壁部１３に形成された挿通孔１５の入り口に、端子金具２０における前端側（端子接続部２０Ｂ側）から挿入していく。
【００２５】
そうすると、端子金具２０の圧入部２３の後部が挿通孔１５の入り口部分の両側部に圧入部２３が当接し、この当設した部分の肉を押し広げつつ、挿通孔１５内に挿入されていく。さらに挿入が進み、圧入部２３の全体が挿通孔１５に挿入されると、今度は、圧入部２３と連続して形成された収容部２４が挿入されていく。ここで、収容部２４では、幅方向の両端に設けられた一対のテーパ面２４Ａが徐々に縮径（下り勾配）するようになっているから、圧入部２３によって押しのけられた肉が圧入部の通過後に復帰し、収容部２４の外周側において戻る。そして、端子金具２０が正規位置（正規挿通深さ）に至ると、収容部２４の後方に連続して形成された張り出し部２２が段差面１７に当接し、それ以上の挿入が規制されて、端子金具２０は正規位置（正規挿通深さ）に固定されるとともに、前方に向けて突設された食い込み突部２６が段差面１７に食い込み、収容部２４の外周側に収容された肉の一部を強制的に収容部２４側に寄せる。
【００２６】
また、端子金具２０が正規位置（正規挿通深さ）に固定された後、奥壁部１３の背面側に突出した端子金具２０の端部は、曲げ冶具（図示しない）にて直角曲げして下向きにされ、整列板３１に挿通させることにより前後列に整列して保持され、この後プリント基板に対する接続作業がなされる。
【００２７】
ところで、このようなコネクタ１０を相手側コネクタ（図示しない）と嵌合させる場合等に、端子金具２０の抜け方向に圧力がかかる。しかしながら、かかる場合であっても、圧入部２３にて押し広げられた肉が圧入部２３の通過後に復帰して収容部２４の外周側に収容されるから、復帰した肉が収容部２４に引っかかり、端子金具２０の抜けが規制される。ここで、仮に、段差面１７の近傍２５Ｃに達した時点での挿通部２１（収容部２４）の幅が、挿通孔１５の孔幅より大きい場合には、押し広げられた肉は十分に復帰できない。しかしながら、張り出し部２２の前端部における挿通部２１（収容部２４）の幅は、挿通孔１５の孔幅よりやや小さくなるように設定されているから、押し広げられた肉が十分に復帰できる。
【００２８】
さらに、例えば、収容部２４のテーパ面２４Ａが挿通孔１５の入り口まで延設されず、挿通孔１５の途中までしか収容部２４のテーパ面２４Ａが設けられていない場合には、収容部２４のテーパ面２４Ａの勾配が急になり、端子金具２０に抜け方向へ圧力がかかった場合に、復帰した肉との間に生じる隙間が大きくなり、収容部２４に肉を十分に引っかけることができない。しかしながら、本構成によれば、収容部２４のテーパ面２４Ａは、挿通孔１５の入り口まで延設されているから、収容部２４のテーパ面２４Ａが緩やかになり、端子金具２０に抜け方向へ圧力がかかった場合に、収容部２４に肉を十分に引っかけることができ、端子金具２０の抜けが規制される。
【００２９】
また、張り出し部２２には、段差面１７に食い込んで、収容部２４周りに収容された肉を収容部２４側へ寄せる食い込み突部２６が形成されているから、端子金具２０に抜け方向へ圧力がかかった場合に、寄せた肉がより確実に収容部２４に引っかかり、端子金具２０の後方への抜けが規制される。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３１】
（１）上記実施形態では、コネクタ１０は基板に接続される基板用のコネクタとしたが、他のコネクタであってもよい。
【００３２】
（２）上記実施形態では、端子金具２０の挿通部２１（収容部２４）の後端の孔幅は挿通孔１５の孔幅よりも小さく設定することとしたが、挿通部２１（収容部２４）の後端の孔幅を挿通孔１５の孔幅と等しく設定するようにしてもよい。
【００３３】
（３）上記実施形態では、収容部２４の外周側に収容された肉を収容部２４側に引き寄せる食い込み突部２６を端子金具２０の張り出し部２２に設けたが、これに限らず、食い込み突部２６を設けない構成としてもよい。
【００３４】
（４）上記実施形態では、収容部２４の後方に向けて縮径（下り勾配）するテーパ面２４Ａは、挿通孔１５の入り口まで延設される構成としたが、挿通孔１５の入り口付近まで延設されていなくともよい。ただし、挿通孔１５の入り口まで延設したほうが、収容部２４の周りに肉が十分に入り込み、効果的である。
【００３５】
（５）上記実施形態では、奥壁部１３の上下段に整列して端子金具２０が挿入される構造を備えるものとしたが、これに限られず、奥壁部１３の上下方向に３段以上に整列して端子金具２０が挿入される構造としてもよい。
【００３６】
（６）上記実施形態では、奥壁部１３に形成された挿通孔１５の断面は矩形をなしていたが、これに限られず、その断面は、円形、長円形等としてもよい。
【図面の簡単な説明】
【００３７】
【図１】本発明の一実施形態に係るコネクタの縦断面図
【図２】端子金具が挿通孔に挿入される前の状態を示すコネクタハウジングの正面図
【図３】端子金具の上面図
【図４】端子金具の側面図
【図５】端子金具が挿通孔に挿入される状態を示す平断面図
【図６】端子金具が挿通孔に挿入された状態を示す部分を拡大した平断面図
【図７】端子金具が挿通孔に挿入された状態を示す部分の平断面の概念図
【図８】従来例の斜視図
【符号の説明】
【００３８】
１０…コネクタ
１１…フード部
１２…コネクタハウジング
１３…奥壁部
１５…挿通孔
１６…凹部
１７…段差面
１８…導入孔
２０…端子金具
２１…挿通部
２３…圧入部
２４…収容部
２６…食い込み突部
【図１】
2005203271.tif 000003
【図２】
2005203271.tif 000004
【図３】
2005203271.tif 000005
【図４】
2005203271.tif 000006
【図５】
2005203271.tif 000007
【図６】
2005203271.tif 000008
【図７】
2005203271.tif 000009
【図８】
2005203271.tif 000010